(57)【要約】      （修正有）【課題】板状の構造物などに、その板状の構造物などに穴などを開けることなく板状などの構造物を固定することができるクランプを提供する。【解決手段】一定の厚さを有する任意の素材を用いて、一方向から見た形状がＬ字に直線を組み合わせた形状の構造物が形成され、この一部分にメスネジを切った穴が設けられ、この穴にアジャスターボルトがねじ込まれ、このアジャスターボルトの片方につまみ又は回転棒が取り付けられ、前記構造物の一部分に１個以上の穴が設けられた構造からなるクランプ。【選択図】図１
2019002521.tif 000002
【特許請求の範囲】
【請求項１】
一定の厚さを有する任意の素材を用いて、一方向から見た形状がＬ字に直線を組み合わせた形状の構造物が形成され、この一部分にメスネジを切った穴が設けられ、この穴にアジャスターボルトがねじ込まれ、このアジャスターボルトの片方につまみ又は回転棒が取り付けられ、前記構造物の一部分に１個以上の穴が設けられた構造からなるクランプ。
【請求項２】
アジャスターボルトのつまみ又は回転棒が取り付けられている側とは異なる反対側の先端に、任意の素材の滑り止めが取り付け手段によって取り付けられた請求項１におけるクランプ。
【発明の詳細な説明】
【技術分野】
【０００１】
本発明は、板状などの構造物に板状などの構造物を固定できるように工夫されたクランプに関するものである。
【背景技術】
【０００２】
これまでいくつかのクランプが考案されている。
【先行技術文献】
【特許文献】
【０００３】
【特許文献１】特開２０１３−２１５８７３
【特許文献２】特開２００６−１６７８７９
【非特許文献】
【０００４】
【非特許文献１】登録実用新案第３０１８７３９号
【発明の概要】
【発明が解決しようとする課題】
【０００５】
これまでに考案されているクランプは、板状の構造物などに穴などを開けることなく板状などの構造物を固定しようとする場合には構造上利用できない。本発明はこの問題を解決するものである。
【課題を解決するための手段】
【０００６】
一定の厚さを有する任意の素材を用いて、一方向から見た形状がＬ字に直線を組み合わせた形状の構造物が形成され、この一部分にメスネジを切った穴が設けられ、この穴にアジャスターボルトがねじ込まれ、このアジャスターボルトの片方につまみ又は回転棒が取り付けられ、前記構造物の一部分に１個以上の穴が設けられた構造からなるクランプ。
【発明の効果】
【０００７】
本発明により、板状の構造物などに、その板状の構造物などに穴などを開けることなく板状などの構造物を固定することができる。
【図面の簡単な説明】
【０００８】
【図１】本発明の外観斜視図
【図２】本発明の分解図
【図３】図２の部分拡大図
【図４】本発明の外観斜視図
【図５】図４の部分分解図
【図６】本発明を一方向から見た図
【図７】本発明を一方向から見た図
【図８】本発明の試作品の外観図
【図９】本発明の試作品と取り付け部材を示す図
【図１０】本発明の使用例を示す図
【図１１】本発明の使用例を示す図
【図１２】本発明の別の実施例の外観斜視図
【図１３】本発明の別の実施例の外観斜視図
【発明を実施するための形態】
【０００９】
本発明のクランプは、クランプ本体基板（１）および表面にオスネジが切られたアジャスターボルト（２）および、つまみ（３）とからなり、クランプ本体基板（１）の一部分に、メスネジ（４）が設けられ、このメスネジ（４）にアジャスターボルト（２）がねじ込まれ、メスネジ（４）が設けられている部分とは別のクランプ本体基板（１）の一部分に、１個以上の穴（５）が設けられている。アジャスターボルト（２）のつまみ（３）が取り付けられている側とは反対側の先端に取り付けられているアジャスターボルト（２）の部品である抑え板は、自由に回転できるようになっている。これは通常のアジャスターボルトと同様である。つまみ（３）は回転棒（６）であっても良い。本発明は、以上の構成からなる。クランプ本体基板（１）は、一定の厚さを有する任意の素材で製造され、図６で示すように一方向から見た形状がＬ字に直線を組み合わせた形状となっている。図６および図７で示すＡ、Ｂ、Ｃ及びＤの長さは任意である。本発明の使用方法は次のようにする。例えば、壁（１１）に板状の取り付け部材（９）を取り付けたいが、壁（１１）に穴をあけるなどの行為をしたくない場合、本発明を取り付け部材（９）にボルト、ナット（１０）で取り付けて、アジャスターボルト（２）を、つまみ（３）または回転棒（６）を用いて締め付けて、壁（１１）に取り付ける。こうすれば、壁（１１）には穴などの加工は必要なく、取り付け部材（９）を取り付けることができる。この状態を、図１０、図１１に示す。これまでこのようなクランプを探してみたが見当たらないので、本発明があれば非常に便利であると思われる。本発明の大きさは任意なので、状況に応じて様々な応用が期待できる。
【実施例１】
【００１０】
本発明のクランプは、クランプ本体基板（１）および表面にオスネジが切られたアジャスターボルト（２）および、つまみ（３）とからなり、クランプ本体基板（１）の一部分に、メスネジ（４）が設けられ、このメスネジ（４）にアジャスターボルト（２）がねじ込まれ、メスネジ（４）が設けられている部分とは別のクランプ本体基板（１）の一部分に、３個の穴（５）が設けられている。この穴（５）は、１個以上、任意であるが、回転を防止するために、２個以上が望ましい。つまみ（３）は回転棒（６）でもよい。回転棒（６）は、アジャスターボルト（２）の先端に開けられた穴（７）に差し込まれて取り付けられており、自由に動かすことができ、これを回転させて、てこの原理でアジャスターボルトを締め付けることができる。これは一般的なクランプと同じである。図６には、本発明を一方向から見た図が示されているが、クランプ本体基板（１）がＬ字に直線を組み合わせた形状となっていることが分かる。図で示されるＡ、Ｂ、Ｃ及びＤの長さは任意であり、これを変更することにより、種類の異なる本発明を得ることができる。クランプ本体基板（１）には、穴（５）が１個以上設けられているが、本発明を板状の取り付け部材（９）などに取り付けた場合に回転しないように２個以上設けるのが望ましい。図８には、既存の部材を用いて本発明を試作した例が示されている。これを用いて本発明を使用する例を図１０、図１１に示した。本発明の使用方法は次のようにする。図９で示される取り付け部材（９）を壁（１１）に取り付ける場合、まず、本発明をボルト、ナット（１０）を使用して取り付け部材（９）に取り付ける。この後、図１０及び図１１のように本発明を壁（１１）に取り付け、つまみ（３）を回して固定する。この例では、本発明のアジャスターボルトの部品である抑え板に、滑り止めを目的としてゴム板（８）が接着剤などの取り付け手段によって取り付けられている。これは無くても良いが、あればより望ましい。この抑え板は、アジャスターボルト（２）の部品で自由に回転できるようになっている。これは通常のアジャスターボルトと同様である。本発明を使用すればこのように壁（１１）には穴などをあけることなく取り付け部材（９）を取り付けることができる。本発明の大きさは任意なので状況により、いろいろな応用が可能である。現在このような構造のクランプは存在しないので本発明があれば便利で有意義である。
【実施例２】
【００１１】
図１２は、クランプ本体基板（１）に、アジャスターボルト（２）およびつまみ（３）の締め付け部分が、２つ設けられた例を示している。この場合には、締め付け部分が２つあるので、板などの構造物を固定する場合に、より強く締め付けることができ、より安定性が得られるなどの特長がある。この例の場合も、つまみ（３）の代わりに回転棒（６）を用いても良いことは同様である。また、穴（５）も任意の位置に、任意の数で設けても良い。アジャスターボルト（２）およびつまみ（３）の締め付け部分は、クランプ本体基板（１）に２つ以上、任意の位置に、任意の数で設けることもできる。図１３は、実施例２を別の角度からみた外観斜視図である。
【産業上の利用可能性】
【００１２】
本発明は、工業的に量産することが可能であるため、産業上の利用可能性を有する。
【符号の説明】
【００１３】
１    クランプ本体基板
２    アジャスターボルト
３    つまみ
４    メスネジ
５    穴
６    回転棒
７    穴
８    ゴム板
９    取り付け部材
１０  ボルト、ナット
１１  壁
【図１】
2019002521.tif 000003
【図２】
2019002521.tif 000004
【図３】
2019002521.tif 000005
【図４】
2019002521.tif 000006
【図５】
2019002521.tif 000007
【図６】
2019002521.tif 000008
【図７】
2019002521.tif 000009
【図８】
2019002521.tif 000010
【図９】
2019002521.tif 000011
【図１０】
2019002521.tif 000012
【図１１】
2019002521.tif 000013
【図１２】
2019002521.tif 000014
【図１３】
2019002521.tif 000015